(57)【要約】【課題】光ディスクにおいて記録済みのデータ量を利用者が視認し得る仕組みを提供する。【解決手段】光ディスク記録装置は、光ディスクのデータ記録層に記録された記録済みデータ量を特定し、その記録済みデータ量に応じた変色層の領域にレーザ光を照射して変色させる。指標形成層には、「ＳＴＡＧＥ１」，「ＳＴＡＧＥ２」，「ＳＴＡＧＥ３」，「ＳＴＡＧＥ４」のように、記録したデータ量の指標が予め印刷されている。この指標の印刷色と、変色層における変色後の色はほぼ同じであり、変色層が変色することによって、印刷された指標の一部が変色層の色と同化して視認しづらくなる。利用者は、視認することができる指標を参照して、光ディスクにおいて記録可能なデータ量を認識することができる。【選択図】図６
2008077804.tif 000002
【特許請求の範囲】
【請求項１】
データが記録されるデータ記録層と、当該データ記録層とは異なる位置に設けられて熱又は光により変色する変色層と、複数の領域の各々に前記変色層における変色後の色でデータ量の指標が予め形成された指標形成層とを有する光ディスクに対し、当該光ディスクの一方の面から当該データ記録層又は当該変色層のいずれかに対して焦点を合わせたレーザ光を照射する照射手段と、
データに応じたレーザ光を前記データ記録層に焦点を合わせて前記照射手段から照射させて、当該データ記録層にデータを記録するデータ記録手段と、
前記データ記録層に記録されたデータの量を記録済みデータ量として特定する特定手段と、
特定された前記記録済みデータ量に相当する前記指標が印刷された領域に重なり合う前記変色層の領域に対し、当該変色層に焦点を合わせたレーザ光を前記照射手段から照射させ、当該領域を変色させる変色手段と
を備えることを特徴とする光ディスク記録装置。
【請求項２】
光ディスクの前記指標形成層において、前記複数の領域は、前記光ディスクの中心から径がそれぞれ異なる複数の同心円によって区切られており、
前記変色手段は、前記特定手段によって特定された前記記録済みデータ量が増加するに従って、前記変色層において前記光ディスクの中心から同心円状に当該ディスクの外縁に向かって大きくなるような領域を変色させる
ことを特徴とする請求項１記載の光ディスク記録装置。
【請求項３】
光ディスクの前記指標形成層において、前記複数の領域は、前記光ディスクの外縁に沿って形成された複数の扇形によって区切られており、
前記変色手段は、前記特定手段によって特定された前記記録済みデータ量が増加するに従って、前記扇形の中心角が大きくなるような領域を変色させる
ことを特徴とする請求項１記載の光ディスク記録装置。
【請求項４】
光ディスクの前記指標形成層において、前記複数の領域が前記光ディスクの中心から当該ディスクの外縁に向かって螺旋状に連なっており、
前記変色手段は、前記特定手段によって特定された前記記録済みデータ量が増加するに従って、前記変色層において前記光ディスクの中心から当該ディスクの外縁に向かって螺旋状に長くなるような領域を変色させる
ことを特徴とする請求項１記載の光ディスク記録装置。
【請求項５】
データが記録されるデータ記録層と、
前記データ記録層とは異なる位置に設けられて、熱又は光により変色する変色層と、
複数の領域の各々に、前記変色層における変色後の色によってデータ量の指標が予め形成された指標形成層と
を備えることを特徴とする光ディスク。
【請求項６】
前記指標形成層には、前記データ量の指標を表す文字が予め印刷されている
ことを特徴とする請求項５記載の光ディスク。
【発明の詳細な説明】
【技術分野】
【０００１】
本発明は、光ディスクに対するデータの記録状況を表すための技術に関する。
【背景技術】
【０００２】
例えばＣＤ−Ｒ（Compact Disc-Recordable）、ＣＤ−ＲＷ（Compact Disc-Rewritable）、或いはＤＶＤ−Ｒ（Digital Versatile Disk-Recordable）等の追記型光ディスクに対しては、その記録容量に達するまでは複数回にわたってデータを追記することができる。この場合、記録可能なデータ量（以下、残量という）を利用者が視認し得るような仕組みがあれば便利である。なぜなら、光ディスクに対して記録を開始する前に、光ディスクの残量が記録対象となるデータのサイズを上回っているか否かを予め確認することができるからである。そこで、例えば特許文献１には、熱によって色調が変化する色調変化材を光ディスクのレーベル面に塗布した光ディスクが提案されている。このような光ディスクを用いると、データ記録時に発生する熱によって色調変化材の色調が変化するから、レーベル面を見るだけで、データが記録された領域と、データが記録されていない領域とを区別することができ、光ディスクの残量をおおよそ予測することができるというわけである。
【特許文献１】特開２００１−６２２３２号公報
【発明の開示】
【発明が解決しようとする課題】
【０００３】
本発明は、上述した背景に鑑みてなされたものであり、光ディスクにおいて記録可能なデータ量を利用者が認識し得る新たな仕組みを提供することを目的としている。
【課題を解決するための手段】
【０００４】
上記課題を解決するため、本発明は、データが記録されるデータ記録層と、当該データ記録層とは異なる位置に設けられて熱又は光により変色する変色層と、複数の領域の各々に前記変色層における変色後の色でデータ量の指標が予め形成された指標形成層とを有する光ディスクに対し、当該光ディスクの一方の面から当該データ記録層又は当該変色層のいずれかに対して焦点を合わせたレーザ光を照射する照射手段と、データに応じたレーザ光を前記データ記録層に焦点を合わせて前記照射手段から照射させて、当該データ記録層にデータを記録するデータ記録手段と、前記データ記録層に記録されたデータの量を記録済みデータ量として特定する特定手段と、特定された前記記録済みデータ量に相当する前記指標が印刷された領域に重なり合う前記変色層の領域に対し、当該変色層に焦点を合わせたレーザ光を前記照射手段から照射させ、当該領域を変色させる変色手段とを備えることを特徴とする光ディスク記録装置を提供する。この発明によれば、変色層が変色することで、利用者は、指標形成層に形成されていた指標を視認しづらくなり、それ以外の視認し得る指標に基づいて、光ディスクに記録可能なデータ量を認識することができる。なお、変色層における変色後の色と、指標形成層に形成されている指標の色との間には、利用者が見分けることが出来ない程度の色差があってもよい。よって、「複数の領域の各々に前記変色層における変色後の色でデータ量の指標が予め形成された指標形成層」における「変色後の色」とは、変色層における変色後の色から上記の色差の範囲内に納まる色のことを言う。
【０００５】
光ディスクの前記指標形成層において、前記複数の領域は、前記光ディスクの中心から径がそれぞれ異なる複数の同心円によって区切られており、前記変色手段は、前記特定手段によって特定された前記記録済みデータ量が増加するに従って、前記変色層において前記光ディスクの中心から同心円状に当該ディスクの外縁に向かって大きくなるような領域を変色させるようにしてもよい。また、光ディスクの前記指標形成層において、前記複数の領域は、前記光ディスクの外縁に沿って形成された複数の扇形によって区切られており、前記変色手段は、前記特定手段によって特定された前記記録済みデータ量が増加するに従って、前記扇形の中心角が大きくなるような領域を変色させるようにしてもよい。また、光ディスクの前記指標形成層において、前記複数の領域が前記光ディスクの中心から当該ディスクの外縁に向かって螺旋状に連なっており、前記変色手段は、前記特定手段によって特定された前記記録済みデータ量が増加するに従って、前記変色層において前記光ディスクの中心から当該ディスクの外縁に向かって螺旋状に長くなるような領域を変色させるようにしてもよい。これらの構成によれば、変色させられた領域の大きさを見れば、記録可能データ量をおおよそ把握することができる。
【０００６】
また、本発明は、データが記録されるデータ記録層と、前記データ記録層とは異なる位置に設けられて熱又は光により変色する変色層と、複数の領域の各々に、前記変色層における変色後の色によってデータ量の指標が予め形成された指標形成層とを備えることを特徴とする光ディスクを提供する。前記指標形成層には、前記データ量の指標を表す文字が予め印刷されていることが望ましい。このようにすれば、より詳細な記録可能データ量については、指標形成層の文字を見れば特定することが可能となる。
【発明の効果】
【０００７】
本発明によれば、光ディスクにおいて記録可能なデータ量を利用者が認識することができる。
【発明を実施するための最良の形態】
【０００８】
以下、図面を参照して本発明の実施形態について説明する。
本実施形態に係る光ディスク記録装置は、光ディスクに対して例えば音楽データのデータを記録・再生する機能と、その光ディスクにおいて記録可能なデータ量を利用者が視認し得るようにする機能とを有している。以下の説明では、まず、光ディスクの構成を説明し、その次に、光ディスク記録装置についての説明を行う。
【０００９】
（１）光ディスクの構成
図１は、本実施形態に係る３種類の光ディスク、即ち、ＤＶＤ−Ｒ、ＣＤ−Ｒ、ＣＤ−Ｒ／ＤＶＤ−Ｒ混合型光ディスクの断面図である。ＤＶＤ−Ｒ１ａにおいては、記録面Ｄａからレーベル面Ｌａに向かって順番に、ポリカーボネート層１０１ａ、データ記録層１０３ａ、半透明層１０４ａ、中間層１０５ａ、変色層１０６ａ、半透明層１０７ａ、指標形成層１０８ａ及びポリカーボネート層１０９ａとが積層されている。ＤＶＤ−Ｒ１ａの厚さはおおよそ１．２（ｍｍ）であるが、そのうちポリカーボネート層１０１ａ及びポリカーボネート層１０８ａがそれぞれ０．６（ｍｍ）程度を占めており、データ記録層１０３ａから指標形成層１０９ａまでの厚さは微少な距離Δｄ１である。なお、図１では、変色層１０６ａに焦点が合わせられたレーザ光ｌａが照射されている場合を示している。
【００１０】
データ記録層１０３ａの記録面Ｄａ側には、螺旋状のグルーブ（案内溝）１０２ａが形成されている。データ記録時には、対物レンズ３３ａの位置が矢印Ｐ方向の適切な位置に調整され、半透明層１０４ａからの反射光に基づいて、データ記録層１０３ａにレーザ光の焦点が合わせられる。そして、記録すべきデータに応じた強度のレーザ光が、データ記録層１０３ａのグルーブ１０２ａに沿って照射される。このときレーザ光が照射された箇所にはデータ長に対応するピットが形成され、これによりデータ記録が行われる。なお、記録したデータを読み出して再生を行う場合は、グルーブ１０２ａに沿って記録時よりも弱い強度のレーザ光が照射され、その反射光（戻り光）の強度が検知されることでデータ再生が実現される。
【００１１】
指標形成層１０８ａにおいては、予め区切られた複数の領域の各々に、ＤＶＤ−Ｒ１ａに記録したデータ量の指標となる情報が所定の色で予め印刷されている。例えば、図２（ａ）に示すように、ＤＶＤ−Ｒ１ａの中心から径がそれぞれ異なる複数の同心円状の領域ａ１，ａ２，ａ３，ａ４に対して、「ＳＴＡＧＥ１」、「ＳＴＡＧＥ２」、「ＳＴＡＧＥ３」、「ＳＴＡＧＥ４」というように、ディスクの中心からディスクの端に向かって段階的に変化する指標が形成されている。なお、図２（ａ）において、各領域の境界を意味する点線は、分かりやすく説明するためのものに過ぎず、実際に指標形成層に形成されているわけではない。
【００１２】
変色層１０６ａは、或る強度のレーザ光が照射されると変色する物質によって形成されている。変色層１０６ａを変色させるときには、対物レンズ３３ａの位置が矢印Ｐ方向の適切な位置に調整され、半透明層１０７ａからの反射光に基づいて、変色層１０６ａにレーザ光ｌａの焦点が合わせられる。そして、或る強度のレーザ光ｌａが照射されると、レーザ光ｌａが照射された変色層１０６ａの領域が変色する。この変色後の色は、指標形成層１０８ａにおいて印刷された指標の印刷色とほぼ同じである。例えばデータ記録層１０３ａの記録容量の１／４程度のデータを記録した段階では、変色層１０６ａの図２（ｂ）に示すような領域を変色させる。この図２（ｂ）に示すような領域とは、指標形成層１０８ａの「ＳＴＡＧＥ１」〜「ＳＴＡＧＥ４」のうちの「ＳＴＡＧＥ１」の指標がが印刷された領域に重なり合うような、変色層１０６ａの領域である。前述したように、変色層１０６ａにおける変色後の色と、指標形成層１０８ａの「ＳＴＡＧＥ１」という指標の印刷色とはほぼ同じであるから、これら両者は見分けがつかなくなり、レーベル面からＤＶＤ−Ｒ１ａを見ると図２（ｃ）のようになる。利用者は、このレーベル面を見て、ＳＴＡＧＥ１〜ＳＴＡＧＥ４のうちのＳＴＡＧＥ１に相当する領域、つまり記録容量のほぼ１／４程度のデータ量を記録しており、記録容量のほぼ３／４程度を更に記録可であるということを認識することができる。
【００１３】
なお、変色層１０６ａにおける変色後の色と、指標形成層１０８ａに形成されている指標の色とは完全に同じ色である必要はなく、両者の間に利用者が見分けることが出来ない程度の色差があってもよい。両者の色差が所定の範囲内に収まるような微少なものであれば、利用者は変色層１０６ａにおける変色後の色と、指標形成層１０８ａの指標の印刷色とを見分けづらいので、上述したような効果を奏することができる。
【００１４】
次に、ＣＤ−Ｒ１ｂについて説明する。
ＣＤ−Ｒ１ｂにおいては、記録面Ｄｂからレーベル面Ｌｂに向かって順番に、ポリカーボネート層１０１ｂ、データ記録層１０３ｂ、半透明層１０４ｂ、中間層１０５ｂ、変色層１０６ｂ、半透明層１０７ｂ、指標形成層１０８ｂ及び保護層１０９ｂとが積層されている。なお、図１では、変色層１０６ｂに焦点が合わせられたレーザ光ｌｂが照射されている場合を示している。データ記録層１０３ｂの記録面Ｄａ側には、螺旋状のグルーブ１０２ｂが形成されている。指標形成層１０８ｂには、ＣＤ−Ｒ１ｂに記録したデータ量の指標となる情報が、所定の色で予め印刷されている。変色層１０６ａは、或る強度のレーザ光が照射されると変色する性質を有している。この変色後の色は、指標形成層１０８ｂにおける印刷に用いられている色とほぼ同じである。ＤＶＤ−Ｒ１ａと同じく、ＣＤ−Ｒ１ｂの厚さはおおよそ１．２（ｍｍ）であるが、その大半はポリカーボネート層１０１ｂの厚さであり、データ記録層１０３ｂから保護層１０９ｂまでの厚さは微少な距離Δｄ２である。
【００１５】
このＣＤ−Ｒ１ｂに対してデータを記録・再生するときや、画像の形成するときの原理は、ＤＶＤ−Ｒ１ａと同様である。つまり、データ記録時には、データ記録層１０３ｂに焦点が合わせられて、記録すべきデータに応じた強度のレーザ光が、グルーブ１０２ｂに沿って照射される。また、変色時には、変色層１０６ｂに焦点が合わせられたレーザ光ｌｂが照射され、その照射された領域が変色する。
【００１６】
次に、ＣＤ−Ｒ／ＤＶＤ−Ｒ１ｃについて説明する。
ＣＤ−Ｒ／ＤＶＤ−Ｒ１ｃにおいては、記録面Ｄｃからレーベル面Ｌｃに向かって順番に、ポリカーボネート層１０１ｃ、データ記録層１０３ｃ、半透明層１０４ｃ、中間層１０５ｃ、変色層１０６ｃ、半透明層１０７ｃ、指標形成層１０８ｃ及び保護層１０９ｃとが積層されている。なお、図１では、変色層１０６ｃに焦点が合わせられたレーザ光ｌｃが照射されている場合を示している。データ記録層１０３ｃの記録面Ｄｃ側には、螺旋状のグルーブ１０２ｃが形成されている。変色層１０６ｃは、或る強度のレーザ光が照射されると変色する性質を有している。ＤＶＤ−Ｒ１ａやＣＤ−Ｒ１ｂと同じく、ＣＤ−Ｒ／ＤＶＤ−Ｒ１ｃの厚さはおおよそ１．２（ｍｍ）であるが、その大半はポリカーボネート層１０１ｃ及び中間層１０５ｃの厚さであり、データ記録層１０３ｃから半透明層１０４ｃまでの厚さは微少な距離Δｄ３であり、変色層１０６ｃから保護層１０９ｃまでの厚さは微少な距離Δｄ４である。
【００１７】
このＣＤ−Ｒ／ＤＶＤ−Ｒ１ｃに対してデータを記録・再生するときや、画像を形成するときの原理も、ＤＶＤ−Ｒ１ａやＣＤ−Ｒ１ｂと同様である。つまり、データ記録時には、データ記録層１０３ｃに焦点が合わせられて、記録すべきデータに応じた強度のレーザ光がグルーブ１０２ｃに沿って照射される。また、変色時には、変色層１０６ｃに焦点が合わせられたレーザ光ｌｃが照射され、その照射された領域が変色する。
【００１８】
（２）システム構成
本実施形態に係るシステムは、図３に示すように、ホスト装置１０と光ディスク記録装置１２とを相互に通信可能な状態に接続して構成される。光ディスク記録装置１２は、ホスト装置１０に内蔵する形式でも外付けする形式でもよい。光ディスク記録装置１２には、前述したＤＶＤ−Ｒ１ａ，ＣＤ−Ｒ１ｂ，ＣＤ−Ｒ／ＤＶＤ−Ｒ１ｃのいずれか（以下、光ディスク１と総称する）が装填される。
【００１９】
光ディスク記録装置１２において、光ディスク１はスピンドルモータ３０によって回転させられる。スピンドルサーボ３２は、スピンドルモータ３０の回転を、記録時および再生時は線速度一定に制御（CLV制御）し、変色時は回転数一定に制御（CAV制御）する。光ピックアップ３４（光ヘッド）は、ステッピングモータ３６で駆動される送りねじ等による送り機構３８により、光ディスク１の径方向（図中左右方向）に移送される。モータドライバ４０はシステム制御部５６の指令に基づきステッピングモータ３６を駆動する。
【００２０】
ステッピングモータ３６は、例えば２相ステッピングモータによって構成される。このステッピングモータ３６は、２つのコイルを備えており、モータドライバ４０から各コイルに印加される２相の駆動パルスによりバイポーラ駆動される。フォーカスサーボ４２は、データ記録および再生時並びに変色時に光ピックアップ３４のフォーカス制御を行う。フォーカスジャンプ信号発生器４３は、データ記録及び再生時には、光ディスク１のデータ記録層にレーザ光の焦点を合わせるように指示する制御信号を生成する一方、変色時には、光ディスク１の変色層にレーザ光の焦点を合わせるように指示する制御信号を発生する。トラッキングサーボ４４は、データ記録および再生時に光ピックアップ３４のトラッキングサーボ制御を行う。ただし、変色時においては、トラッキングサーボ制御はオフとされる。
【００２１】
振動信号発生器４６は、変色時に振動信号を発生し、これを光ピックアップ３４のトラッキングアクチュエータに供給して対物レンズ３３を振動させる。これにより、レーザ光が、光ディスク１の径方向に、光ピックアップ３４の１マイクロステップ動作による単位送り量よりも大きい振幅で振動させられる。この振動動作により、レーザ光は光ピックアップ３４の単位送り量よりも広い幅で蛇行しながら変色層を走査する。これにより、隙間の少ない描画を行うことができる。レーザドライバ４８は、データ記録および再生時並びに変色時に光ピックアップ３４のレーザダイオードを駆動する。ＡＬＰＣ（Automatic Laser Power Control）回路５０は、データ記録および再生時並びに変色時にレーザパワーをそれぞれ指令された値に制御する。
【００２２】
エンコーダ５２は、データ記録時において、記録データを光ディスク１の形式（ＣＤ又はＤＶＤ）に応じたフォーマットにエンコードする。レーザドライバ４８はこのエンコードされた記録データに応じてレーザ光を変調し、その記録データを光ディスク１のデータ記録層にピットとして記録する。一方、エンコーダ５２は、変色時においては、変色対象の領域に対する描画信号を生成する。レーザドライバ４８はこの描画信号に応じたレーザ光を変色層に照射する。デコーダ５４は、データ再生時に光ピックアップ３４が受光した戻り光に応じた受光信号をEFM復調してデータ再生を行う。
【００２３】
ホスト装置１０は、記録データを光ディスク記録装置１２に送信する。この記録データは、光ディスク記録装置１２のインタフェース５８で受信されてバッファメモリ６０に一旦蓄えられられた後、読み出されてエンコーダ５２に供給される。データ再生時は、デコーダ５４で再生されたデータがインタフェース５８を介してホスト装置１０に転送される。また、ホスト装置１０は、データ記録および再生時並びに変色時に、操作者による指令を光ディスク記録装置１２に送信する。この指令はインタフェース５８を介してシステム制御部５６に送信される。システム制御部５６は該指令に応じた指令を光ディスク記録装置１２内の各回路に送り、該当する動作を実行させる。また、システム制御部５６は、前述したような、指標形成層に形成された指標の位置やその指標の内容を予め記憶している。これらの記憶内容は、変色層において変色すべき領域をシステム制御部５６が特定するときに用いられる。
以上がシステムの構成である。
【００２４】
（３）動作
次に、上述したシステムの動作説明を行う。
図４は、システム制御部５６の動作を表したフローチャートである。図４において、光ディスク記録装置１２に光ディスクが挿入されると（ステップＳ１）、システム制御部５６によって光ディスク１のデータ記録層へのデータ記録が開始される（ステップＳ２）。具体的には、スピンドルサーボ３２は、光ピックアップ３４の受光信号から抽出されるウオブル信号が所定の周波数となるようにスピンドルモータ３０を線速度一定に制御する。フォーカスサーボ４２及びトラッキングサーボ４４はオンとされる。振動信号発生器４６は振動信号の発生を停止している。システム制御部５６は、トラッキングサーボの残留誤差に基づき、ステッピングモータ３６を所定量駆動し、光ピックアップ３４をディスク外周方向に順次移送し、対物レンズ３３の光軸位置が常に光ディスク１の記録位置付近となるように制御する。ホスト装置１０からは記録データが光ディスク記録装置１２に転送される。その記録データはインタフェース５８を介してバッファメモリ６０にいったん蓄えられる。この記録データは、記録の進行に応じて、バッファメモリ６０から順次読み出されてエンコーダ５２でインタリープ処理後にEFM変調され、さらにNRZI信号に変換される。NRZI信号は、ＡＬＰＣ回路５０を介してレーザドライバ４８に供給される。レーザドライバ４８は、レーザ光をNRZI信号で変調する。変調されたレーザ光は光ピックアップ３４から出射され、光ディスク１のデータ記録層に照射されてデータの記録が行われる。
【００２５】
データを記録し終わると（ステップＳ３；Ｙｅｓ）、システム制御部５６は、光ディスク１の変色層を変色させるか否かを判断する（ステップＳ４）。例えば利用者が光ディスク１において記録可能なデータ量を視認することを望まないときには、変色層における変色処理を行わないことが予め光ディスク記録装置１２に設定されている。この場合は、システム制御部５６は、光ディスク１の変色層を変色しないと判断し（ステップＳ４；Ｎｏ）、光ディスク１を排出して（ステップＳ１０）、処理を終了する。一方、利用者が光ディスクにおいて記録可能なデータ量を視認することを望むときには、その旨が予め光ディスク記録装置１２に設定されている。この場合には、システム制御部５６によって、光ディスク１の変色層を変色させると判断される（ステップＳ４；Ｙｅｓ）。
【００２６】
この場合、システム制御部５６は、まず光ディスク１のリードイン領域などを参照して、そのディスクに記録済みのデータ量を特定する（ステップＳ５）。システム制御部５６は、前述したように指標形成層に形成された指標の位置やその内容を予め記憶しているので、その記憶内容と記録済みデータ量とを照らし合わせて、変色させるべき領域を表すデータを画像データとして生成する（ステップＳ６）。ここでいう、変色させるべき領域とは、記録済みデータ量に相当する指標が印刷された領域に重なり合う変色層の領域のことである。
【００２７】
このとき、システム制御部５６は、直行座標系の原画像データを生成してから、その座標系を図５に示すような極座標系に変換した画像データを生成する。図５において白抜きのリングで示された領域が、光ディスク１の変色層において変色可能な領域である。直交座標系の画像データを構成する各画素の座標位置は、ここでは原画像の最下端部の位置をy軸方向の原点とし、原画像の最左端郡をｘ軸方向の原点位置とする直交座標（ｘ，ｙ）でそれぞれ表されている。原画像の座標のｘ軸方向の最大値をＸ、ｙ軸方向の最大値をＹとすると、原画像の中心位置（光ディスク１の回転中心位置に対応する）の座標は（Ｘ／２，Ｙ／２）で表される。一方、変色処理は光ディスク１を回転させながら光ピックアップ３４をディスク径方向に順次移送して行うので、その変色処理に用いられる画像データは、光ディスク１の回転中心位置を極とする極座標で表すのが便利である。そこで、ここでは画像データを構成する各画素の座標位置を、直交座標上の原画像の中心位置（Ｘ／２，Ｙ／２）を極とし、直交座標のＸ軸方向に平行な方向を原線とし、動径をrとし、偏角θが原線から左回り方向に増加する極座標（r，θ）でそれぞれ表す。これによれば、画像データの任意の極座標位置（r，θ）は、原画像データの直交座標位置（Ｘ／２十rcosθ，Ｙ／２＋rsinθ）に該当することになる。システム制御部５６は、このようにして、直交座標で表された原画像データから、極座標で表されたビットマップ形式の画像データを作成し、バッファメモリ６０に一旦蓄える。
【００２８】
次に、システム制御部５６は、フォーカスジャンプ信号発生器４３に指示を送り、光ディスク１の変色層にレーザ光の焦点を合わせるように指示する。これによって、レーザ光のフォーカスがデータ記録層から変色層にジャンプし（ステップＳ７）、変色処理が開始される（ステップＳ８）。変色処理が開始されると、スピンドルサーボ３２が、スピンドルモータ３０から所定回転角毎に出力されるFG／パルスと、水晶発振クロックを分周したクロックとが位相同期するように、ＰＬＬ制御でスピンドルモータ３０を回転数一定に制御する。このときフォーカスサーボ４２はオンされ、トラッキングサーボ４４はオフとされる。振動信号発生器４６は振動信号を発生する。システム制御部５６はディスク回転を検出し、一定の回転角度位置で、ステッピングモータ３６を所定量駆動し、光ピックアップ３４をディスク外周方向に順次移送する。
【００２９】
システム制御部５６によって生成された画像データは、描画の進行に応じてバッファメモリ６０から順次読み出されてエンコーダ５２でEFM変調され（またはインタリープ処理後にEFM変調され）、NRZI信号に変換される。このNRZI信号は、ＡＬＰＣ回路５０を介してレーザドライバ４８に供給される。レーザドライバ４８はレーザ光をNRZI信号で変調する。変調されたレーザ光は光ピックアップ３４から出射され、光ディスク１の変色層に照射される。描画が終了すると（ステップＳ９；Ｙｅｓ）、光ディスク１は光ディスク記録装置１２の外に排出される（ステップＳ１０）。
【００３０】
以上はデータ記録時と描画指示の動作であったが、データ再生時の動作は次のようになる。
まず、スピンドルサーボ３２は、光ピックアップ３４の受光信号から再生されるクロックが所定の周波数となるようにスピンドルモータ３０を線速度一定に制御（CLV制御）する。フォーカスサーボ４２およびトラッキングサーボ４４はオンとされる。振動信号発生器４６は振動信号の発生を停止する。システム制御部５６は、トラッキングサーボの残留誤差に基づき、ステッピングモータ３６を所定量駆動し、光ピックアップ３４をディスク外周方向に順次移送し、対物レンズ３３の光軸位置が常に光ディスク１の再生位置付近となるように制御する。光ピックアップ３４は、再生用のレーザ光を出射して、光ディスク１のデータ記録層に記録されている信号を読み取る。光ピックアップ３４で読み取られた信号はデコーダ５４でEFM復調され、インタフェース５８を介して光ディスク記録装置１２から出力され、ホスト装置１０に転送される。
【００３１】
次に、図６は、光ディスク１の指標形成層における印刷内容と、変色層における変色の状況と、光ディスク１のレーベル面から見たときの様子との関係を模式的に表した図である。図６（ａ）は、指標形成層に予め印刷された指標を表しており、図６（ｂ）は、データを記録していないときの変色層の状態を表している。このときの変色層には変色処理が施されていないから、レーベル面から見た場合には、図６（ｃ）のように、指標形成層に印刷された指標が全て見えることになる。
【００３２】
ここで、例えばデータ記録層に記録可能な容量のうち、１／４程度のデータが記録された場合を想定する。この場合、変色層においては、図６（ｄ）に示すように、光ディスク１の中心から径を図５の（R1−R0）の１／４とした円形の領域が変色させられる。この変色領域の色と、指標形成層の「ＳＴＡＧＥ１」という指標の色とが重なり合って両者を区別できなくなるので、レーベル面から見た場合には、図６（ｅ）に示すように、ＳＴＡＧＥ１〜ＳＴＡＧＥ４のうちのＳＴＡＧＥ１のみが見えなくなる。よって、利用者は、記録容量のほぼ１／４程度のデータ量を記録したことと、記録容量のほぼ３／４程度の量のデータをさらに記録することを認識できる。
【００３３】
さらに、データ記録層に記録可能な容量のうち、１／２程度のデータが記録された場合には、図６（ｆ）のように、光ディスク１の中心から径を図５の（R1−R0）の１／２とした円形の領域が変色させられる。この変色領域の色と、指標形成層の「ＳＴＡＧＥ１」及び「ＳＴＡＧＥ２」という指標の色とが重なり合って両者を区別できなくなる。よって、レーベル面から見た場合には、図６（ｇ）に示すように、ＳＴＡＧＥ１〜ＳＴＡＧＥ４のうちのＳＴＡＧＥ１及びＳＴＡＧＥ２が見えなくなる。よって、利用者は、記録容量のほぼ１／２程度のデータ量を記録したことと、記録容量のほぼ１／２程度の量のデータをさらに記録することを認識できる。
【００３４】
さらに、データ記録層に記録可能な容量の全てが記録に使用された場合には、図６（ｈ）のように、光ディスク１の中心から径を図５の（R1−R0）とした円形の領域が変色させられる。この変色領域の色と、指標形成層の「ＳＴＡＧＥ１」〜「ＳＴＡＧＥ４」という指標の色とが重なり合って両者を区別できなくなる。よって、レーベル面から見た場合には、図６（ｉ）に示すように、ＳＴＡＧＥ１〜ＳＴＡＧＥ４の全てが見えなくなる。よって、利用者は、記録容量を全て使い果たしたと認識することができる。図６（ｄ）、（ｆ）、（ｈ）を比較すると分かるように、記録済みデータ量が増加するに従って、変色層において変色した領域が光ディスク１の中心から同心円状にディスク外縁に向かって徐々に大きくなっていく。
【００３５】
以上に説明した実施形態によれば、光ディスク記録装置１２は、光ディスクのデータ記録層に記録された記録済みデータ量を特定し、その記録済みデータ量に相当する指標が印刷された領域にレーザ光を照射し、その領域を変色させる。指標形成層には、データ量の指標が予め印刷されており、この指標の印刷色と、変色層における変色後の色はほぼ同じである。よって、上記のように変色層の領域を変色させることによって、印刷された指標の一部が変色層の色と同化して視認しづらくなる。利用者は、視認することができる指標を参照することで、光ディスク１において記録可能なデータ量を認識することができる。
また、レーザ光により変色されられた領域は、データ記録層におけるデータ記録済み量に応じた大きさとなっている。よって、この変色領域と、まだ変色していない領域との比率を見るだけでも、利用者は、光ディスク１において記録可能なおおよそのデータ量を認識することができる。
また、指標は、文字（数字を含む）で表現されているので、この指標を見れば、より詳細な記録可能データ量を認識することが可能となる。
【００３６】
（４）変形例
以上述べた実施形態を次のように変形してもよい。
（４−１）変形例１
例えば指標形成層の指標と、変色層における変色領域との関係は、図６のようなものだけではなく、次のようなものも考えられる。
例えば、変色層において変色させられる領域を、光ディスク１の外縁に沿って形成された扇形の領域としてもよい。図７（ａ）は、指標形成層に印刷された指標を表しており、図７（ｂ）は、データ記録層に記録可能な容量のうち１／４程度のデータが記録された場合に変色層で変色させられた領域を表している。この場合、変色層における変色領域の色と、指標形成層の「ＳＴＡＧＥ１」という指標の色とが重なり合うので、レーベル面から見た場合には、図７（ｃ）に示すように、ＳＴＡＧＥ１〜ＳＴＡＧＥ４のうちのＳＴＡＧＥ１のみが見えなくなる。よって、利用者は、記録容量のほぼ１／４程度のデータ量を記録したから、さらに記録容量の３／４程度を記録可能だと認識することができる。この例の場合には、記録済みデータ量が増加するに従って、変色層において変色させられる扇形領域の中心角は徐々に大きくなる。
【００３７】
また、変色層において変色させられる領域を、光ディスク１の中心から当該ディスクの外縁に向かって螺旋状に延びるような領域としてもよい。図８（ａ）は、指標形成層に印刷された指標を表しており、図８（ｂ）は、データ記録層に記録可能な容量のうち５／３２程度のデータが記録された場合に変色層で変色させられた領域を表している。この場合、変色層における変色領域の色と、指標形成層の「１」〜「５」という指標の色とが重なり合うので、レーベル面から見た場合には、図８（ｃ）に示すように、「１」〜「３２」のうちの「１」〜「５」が見えなくなる。よって、利用者は、記録容量のほぼ５／３２程度のデータ量を記録しているから、さらに記録容量の２７／３２程度を記録可能だと認識することができる。この例の場合には、記録済みデータ量が増加するに従って、変色層においてレーザ光が照射されて変色させられた領域が光ディスクの中心から当該ディスクの外縁に向かって徐々に長くなる。
【００３８】
なお、実施形態の図６で説明したように、変色領域を同心円状にする場合には、変色処理を開始した周方向位置をθ＝０とすれば足りるが、図７，８のような場合には、周方向のある特定の位置をθ＝０として、その位置を基準として変色対象領域を定める必要がある。そこで、例えば光ディスク１の変色可能領域よりも内周側に、特定の認識コードを形成しておく。また、その認識コードの周方向の位置をθ＝０としたときの指標形成層における各指標の位置を、システム制御部５６に予め記憶しておく。そして、変色処理に先立って光ピックアップ３４で認識コードの周方向位置を検出し、その位置をθ＝０と定めておいて、この位置から変色処理を開始する。このようにすれば、指標形成層における指標と、変色層における変色領域とを正確に対応させることができる。また、光ディスク１を光ディスク記録装置１２から出し入れしても、θ＝０の位置は変わらないので、複数回のデータ記録処理に追随して、変色処理を引き継ぐことができる。
【００３９】
（４−２）変形例２
上述した実施形態においては、光ディスク１の変色層を変色させる際には、光ディスク記録装置１２がその変色のための画像データを生成していたが、ホスト装置１０がこれを生成して光ディスク記録装置１２に供給するようにしてもよい。
【００４０】
（４−３）変形例３
光ディスク１は各メーカにより提供されるが、メーカごとにデータ記録層や変色層の特性は異なっていることが考えられる。たとえば、データ記録層の熱吸収率が異なる場合は、ピットを形成するために照射すべきレーザ光のレベルや変色させるために照射すべきレーザ光のレベルが異なることも想定される。変色層にしても同様である。このため、予め多数のメーカの光ディスク１に対してデータ記録及び描画を実際に行い、どの程度のレーザ光を照射するのが適しているのかを求めておき、かかる値をメモリ６２に格納しておくようにしてもよい。この場合、光ディスク１の種類を示す識別情報（ディスクＩＤ情報）と対応付けて格納しておけば、セットされた光ディスク１のディスクＩＤ情報を読み取った上で、ディスク種類に沿ったレーザ光を照射することができる。
【００４１】
（４−４）変形例４
光ディスクの変色層は、熱又は光の少なくともいずれか一方に応じて変色する変色層であればよい。また、光ディスク１における変色層の位置は、図１に示したものに限らず、要するにデータ記録層とは異なる（光ディスク１の記録面又はレーベル面からの距離が異なる）位置に設けられていればよい。また、指標形成層の位置も同様に、図１に示したものに限らず、どの位置に設けられていてもよい。
【図面の簡単な説明】
【００４２】
【図１】本発明の実施形態に係る光ディスクの断面図である。
【図２】光ディスクの記録面から見たときのデータ記録状況と、光ディスクのレーベル面から見たときの描画状況とを模式的に表した図である。
【図３】本実施形態に係るシステム全体の構成を示す図である。
【図４】システム制御部によって実行される処理を示すフローチャートである。
【図５】原画像データと画像データの座標位置の関係を示す図である。
【図６】光ディスクの指標形成層における印刷内容と、変色層における変色の状況と、光ディスクのレーベル面から見たときの様子との関係を模式的に表した図である。
【図７】光ディスクの指標形成層における印刷内容と、変色層における変色の状況と、光ディスクのレーベル面から見たときの様子との関係を模式的に表した図である。
【図８】光ディスクの指標形成層における印刷内容と、変色層における変色の状況と、光ディスクのレーベル面から見たときの様子との関係を模式的に表した図である。
【符号の説明】
【００４３】
１０……ホスト装置、１２……光ディスク記録装置、３４……光ピックアップ（照射手段）、５６……システム制御部（特定手段、データ記録手段、変色手段）。
【図１】
2008077804.tif 000003
【図２】
2008077804.tif 000004
【図３】
2008077804.tif 000005
【図４】
2008077804.tif 000006
【図５】
2008077804.tif 000007
【図６】
2008077804.tif 000008
【図７】
2008077804.tif 000009
【図８】
2008077804.tif 000010